(57)【要約】【課題】    価格の高いパレット枠は流失すれば損失が多大になるので、荷物積載中で有っても、パレットと分離させて枠だけでも流出を防止して、パレット枠の構造を組立てと分解を容易にする原因で衝撃を受けた際揺れやすくなるので、組立てと分離は容易、且つ、安定度向上のために各支柱の連結では揺れ難い構造のパレット枠が求められていた。【解決手段】    本願発明は上記の技術課題を解決する為に、パレット枠が荷物積載中でも枠だけをパレットから分離できるように、枠を分解可能な構造にして、支柱にはパレットを分離させる道具のはめ込み爪と連結材の差込み爪を入れる兼用のポケット部と、支柱の下部板にパレットを止める止め具を具備して、道具の使用又は不使用のどちらかでパレットと枠が容易に分離できて、連結材では出し入れが円滑で、且つ、差込み爪を揺れ防止に効果が出る形状にして当該連結材の脱落防止の部材も具備して、荷物積載中でも分離可能なパレット枠を発明した。【選択図】      図３
2006232397.tif 000002
【特許請求の範囲】
【請求項１】
パレット枠支柱に、支柱とパレットをテコ原理の動作で分離する道具が使用できる位置にポケット部を具備したパレット枠。
【請求項２】
パレット枠支柱の下部板に支柱とパレットを分離する時にパレットへ当たる止め具を具備したパレット枠。
【請求項３】
パレット枠支柱をテコ原理の動作でパレットと分離できるように、パレットを押さえる部材と支柱を移動させる為の爪がある道具を具備したパレット枠。
【請求項４】
パレット枠支柱のポケット部へ差込む爪は付け根部の幅より先端部の幅が狭くなっていて、両側に、ポケット部の内側面へ支柱と直角に近い角度で力が当たる着力点となる個所が、付け根部と先端部にそれぞれ有る形状の差込み爪を、梁の両端に設置したパレット枠支柱連結用の連結材と、その連結材が差込められる支柱のポケット部内の両側面には、支柱と直角に近い角度で力を受ける着力点となる個所が、付け根部と先端部に差込み爪の着力点と符合するポケット部がそれぞれの支柱に具備されているパレット枠。
【請求項５】
パレット枠の上段に段積みされたパレット等へ当たる部材が連結材脱落防止用として梁に設置された上部連結材を具備したパレット枠。
【発明の詳細な説明】
【技術分野】
【０００１】    本発明は、パレット枠に積載されている荷物はそのままでも、枠だけを分離できる技術を備えた器具に関するものである。
【背景技術】
【０００２】    従来技術の平５−７１５０発明の名称荷役用パレット枠は、パレット枠に積載されている荷物をそのままにして枠だけを分離できる技術を備えて居なかったので、輸送を急ぐときは枠付で搬出していた為に、パレットと共に枠までも流出する度合いが多く、損失も多大になっていた。【０００３】    当該荷役用パレット枠は衝撃を受けて揺れる時、連動して図１２の矢印Ｓ方向に連結材２Ｎが動けば、力が当る当該連結材の差込み爪３Ｎ側面の付け根部ＮＤは、着力点となる個所が傾斜角となるため、鉛直分力ＦＹの作用で当該差込み爪３Ｎが移動して、揺れた弾みと重なって、支柱１Ｎのポケット部４Ｎから当該連結材２Ｎが抜ける事故の発生もあったので、組立てと分離が容易、且つ、支柱は揺れ難く、連結材は抜け難いパレット枠が求められていた。
【発明の開示】
【発明が解決しようとする課題】
【０００４】    課題１は、価格の高いパレット枠は流失すれば損失が多大になるので、荷物積載中で有っても、パレットと分離させて枠だけでも流出を防止する事。【０００５】    課題２は、パレット枠を分解する際に作業能率を上げるため、道具は無しでも容易に分解ができる構造にする事。【０００６】    課題３は、荷物積載中のパレット枠は荷重が重いので、枠の分離作業を軽減する道具も必要。【０００７】    課題４は、パレット枠の構造を組立てと分解を容易にする原因で衝撃を受けた際揺れやすくなるので、組立てと分離は容易、且つ、安定度向上のために各支柱の連結では揺れ難い構造のパレット枠が求められていた。【０００８】    課題５は、荷物積載中のパレット枠は、二段積みにすると重心が高くなる為、揺れも激しくなり危険度も倍増するので、段積み中に衝撃などでパレット枠が揺れても、安定度向上のため、下段のパレット枠の上部連結材は抜け難い構造を求められていた。
【課題を解決する為の手段】
【０００９】    本願発明は上記の技術課題を解決する為に、パレット枠が荷物積載中でも枠だけをパレットから分離できるように、枠を分解可能な構造にして、支柱にはパレットを分離させる道具のはめ込み爪と連結材の差込み爪を入れる兼用のポケット部と、支柱の下部板にパレットを止める止め具を具備して、道具の使用又は不使用のどちらかでパレットと枠が容易に分離できて、連結材では出し入れが円滑で且つ差込み爪を揺れ防止に効果が出る形状にして当該連結材の脱落防止の部材も具備して、荷物積載中でも分離可能なパレット枠を発明した、詳細は以下である。
【００１０】    本願発明の請求項１では、パレット枠の支柱５に、支柱５とパレット１９を分離する道具が使用できる位置に、連結材１と兼用のポケット部３が具備されていることを特徴とする。
【００１１】    本願発明の請求項２では、支柱５の下部板１６に、支柱５とパレット１９を分離する時にパレット１９へ当たる止め具６が具備されていることを特徴とする。
【００１２】    本願発明の請求項３では、パレット枠の支柱５をテコ原理の動作でパレット１９と分離できるように、パレット１９を押さえる部材２２と支柱５を移動させる為にポケット部３へ左右どちらでもはめ込めるはめ込み爪２３、２４がある道具２１が具備されていることを特徴とする。
【００１３】    本願発明の請求項４では、パレット枠支柱５のポケット部３へ差込む爪８、９は、出し入れが容易な形状をした付け根部の幅より先端部の幅が狭くなっていて、両側に、ポケット部の内側面へ、支柱と直角に近い角度で力が当たる着力点となる個所が、付け根部３Ｄ、３Ｆと先端部３Ｅ、３Ｇとそれぞれ有る形状の差込み爪８、９を、梁１Ａ、２Ａの両端に設置したパレット枠支柱連結用の連結材１、２と、その連結材が差込められる支柱のポケット部３内の両側面には、支柱５と直角に近い角度で力を受ける着力点となる個所が付け根部３Ｄ、３Ｆと先端部３Ｅ、３Ｇに差込み爪８、９の着力点と符合するポケット部３が、それぞれの支柱５に具備されていることを特徴とする。
【００１４】    本願発明の請求項５では、パレット枠の上段に段積みされたパレット等へ当たる部材７が連結材脱落防止用として梁２Ａに設置された上部連結材２が、パレット枠に具備されていることを特徴とする。
【発明の効果】
【００１５】    本願発明の請求項１によって、パレット枠の支柱５に、支柱５とパレット１９を分離する道具が使用できる位置に連結材１と兼用のポケット部を具備した効果で、分離が困難な荷物積載中のパレット枠でも、道具のはめ込み爪をポケット部３へはめ込み、パレット押さえ２２を支点に図５矢印Ｋ方向へテコ原理の動作で道具を回転させれば、支柱５はパレット１９と容易に分離できるようになるので、課題１の価格の高いパレット枠は流失すれば損失が多大になるので、荷物積載中で有ってもパレットと分離させて枠だけでも流出を防止する課題が解決される。
【００１６】    本願発明の請求項２によって、支柱５の下部板１６にパレット１９が当たる止め具６を具備した効果で、パレット枠の支柱５を分離する専用の道具が無くても、止め具６を支点に支柱５自体を回転させるだけで、支柱５はパレットから分離できるようになる効果で課題２のパレット枠を分解する際に作業能率を上げるため、道具は無しでも容易に分解ができる構造にする課題が解決される。
【００１７】    本願発明の請求項３によって、パレット枠の支柱５をテコ作用の動作でパレット１９と分離できるように、パレット１９を押さえる部材２２と支柱５を移動させる為にポケット部３へ左右どちらでもはめ込めるはめ込み爪２３、２４を持った道具２１を、荷重が重い為分離が困難な荷物積載中のパレット枠でも、支柱５のポケット部３に道具２１の爪をはめ込み、パレット押さえ２２を支点に図５の矢印Ｋ方向へ道具２１を回転させるテコ原理の動作で、止め具６が無くても支柱５をパレット１９から分離できるようになる専用の道具の提供で、課題３の荷重が重い荷物積載中のパレット枠でも枠を容易に分離する課題が解決される。
【００１８】    本願発明の請求項４よって、パレット枠支柱５のポケット部３へ差込む爪８、９は、出し入れが容易な形状をした付け根部の幅より先端部の幅が狭くなっていて、両側に、ポケット部の内側面へ支柱と直角に近い角度で力が当たる着力点となる個所が、付け根部３Ｄ、３Ｆと先端部３Ｅ、３Ｇとそれぞれ有る形状の差込み爪８、９を、梁１Ａ、２Ａの両端に設置したパレット枠支柱連結用の連結材１、２と、その連結材が差込められる支柱のポケット部３内の両側面には、支柱５と直角に近い角度で力を受ける着力点となる個所が付け根部３Ｄ、３Ｆと先端部３Ｅ、３Ｇに差込み爪８、９の着力点と符合するポケット部３が、それぞれの支柱５に具備されることで、ポケット部３に差込み爪８、９が付け根まで全部入れば実質的に四角のポケットに四角の爪を入れる効果と同じになり、隙間が同じならポケットの深さ分だけ振れが少なくなって支柱５の揺れ防止が強化されるので、課題４のパレット枠の構造を組立てと分解を容易にする原因で衝撃を受けた際揺れやすくなるので、組立てと分離は容易、且つ、安定度向上のため各支柱の連結では揺れ難い構造のパレット枠が求められていた課題が解決される。
【００１９】    本願発明の請求項５によって、パレット枠の上段に段積みされたパレット等へ当たる部材７が連結材脱落防止用として梁２Ａに設置された上部連結材２が、パレット枠に具備されていることで、衝撃に際しても支柱５のポケット部３から上部連結材２が抜け難いので、課題５の重心が高くなる段積み中にパレット枠が揺れても、安定度向上のため、下段のパレット枠の上部連結材は抜け難い構造が求められていた課題が解決される。
【発明を実施するための最良の形態】
【００２０】
【００２１】    本願発明の請求項１に係わる発明の実施例として、以下に図面を参照しながら詳細に説明する。【００２２】    本願発明の請求項１のパレット枠は、図３で示すように、パレット枠支柱５下部に有る連結材１Ａと兼用のポケット部３に道具２１の爪２４を差込み、パレット押さえ２２を支点に図５の矢印Ｋ方向へ道具２１を回転させるテコ原理の動作で、パレットの止め具６が無くても支柱５をパレット１９から分離できる最良な形態である。【００２３】    本願発明の請求項２のパレット枠は、図１、２で示すように、支柱５の下部板１６に設置した止め具６を支点に支柱５自体を回転させるだけで、支柱５はパレットから分離できる最良な形態である。【００２４】    本願発明の請求項３のパレット枠は、図６で示すように、テコ棒の先端にパレット押さえ２２と適切な位置の両側に、はめ込み爪２３、２４を設置して、図３で示すように、パレット枠支柱５の下部に有る連結材１と兼用のポケット部３に、道具２１の爪２４を差込み、パレット押さえ２２を支点に図５の矢印Ｋ方向へ道具２１を回転させるテコ原理の動作で、パレットの止め具６が無くても支柱５をパレット１９から分離できる道具２１は最良な形態である。【００２５】    本願発明の請求項４のパレット枠は、図２、１１、１２で示すようにパレット枠支柱５のポケット部３へ差込む爪８、９は、出し入れが容易な形状をした付け根部の幅より先端部の幅が狭くなっていて、両側に、ポケット部の内側面へ支柱と直角に近い角度で力が当たる着力点となる個所が、付け根部３Ｄ、３Ｆと先端部３Ｅ、３Ｇとそれぞれ有る形状の差込み爪８、９を梁１Ａ、２Ａの両端に設置したパレット枠支柱連結用の連結材１、２と、その連結材が差込められる支柱のポケット部３内の両側面には、支柱５と直角に近い角度で力を受ける着力点となる個所が、付け根部３Ｄ、３Ｆと先端部３Ｅ、３Ｇに差込み爪８、９の着力点と符合するポケット部３が、それぞれの支柱５に具備されることで、組立てと分離は容易、且つ、図１１の差込み爪９の鉛直分力が発生しない着力点３Ｄと、図１２で示す鉛直分力ＦＹが発生する荷役用パレット枠連結材２Ｎの差込み爪３Ｎの着力点ＮＤと比較すれば、本願発明の差込み爪８、９は各支柱の連結部で揺れ難い安定度向上に寄与する最良な形態である。【００２６】    本願発明の請求項５のパレット枠は、図１０で示すように連結梁２Ａに当て部材７を設置した上部連結材２を具備して、重心が高くなった段積み中のパレット枠は、揺れても下段のパレット枠の上部連結材２は上段のパレットに当って抜け難く安定度が高い最良な形態である。
【図面の簡単な説明】
【００２７】
【図１】    本願発明の荷物積載中でも分離可能なパレット枠の右側は半正面図、左側は図９で示すＸ−Ｘ線断面図。
【図２】    支柱５の下部のポケット部３に差込み爪８が差し込まれた態様の図９で示すＹ−Ｙ線断面部分図。
【図３】    荷物積載中のパレット枠支柱５下部のポケット部３に道具２１のはめ込み爪２４を差し込んだ態様の正面部分図。
【図４】    図３で示す態様の上面部分図。
【図５】    図３で示す支柱５の下部のポケット部３に道具２１のはめ込み爪２４を差し込んで、支柱５を矢印Ｋ方向へテコ原理の動作で回転させた態様の上面部分図。
【図６】    道具２１の側面図。
【図７】    上部連結材２の正面部分図。
【図８】    下部連結材１の正面部分図。
【図９】    本願発明の荷物積載中でも分離可能なパレット枠の斜視図。
【図１０】    図９で示す上部連結材２のＸ−Ｘ線断面部分図。
【図１１】    支柱５の上部のポケット部３に差込み爪９が差し込まれた態様の図９で示すＺ−Ｚ線断面部分図。
【図１２】    従来技術の平５−７１５０発明の名称荷役用パレット枠の支柱１Ｎのポケット部５Ｎに爪が差し込まれた態様の図１３で示すＮＺ−ＮＺ線断面部分図。
【図１３】    従来技術の平５−７１５０発明の名称荷役用パレット枠の斜視図。
【図１４】    従来技術の平５−７１５０発明の名称荷役用パレット枠部品固締枠の斜視図。
【符号の説明】
【００２８】  １    下部連結材。
２    上部連結材。
３    ポケット部。
４    連結材止め具。
５    支柱。
６    パレット止め具。
７    上部当て部材。
８    下部差込み爪。
９    上部差込み爪。
１０  補板。
１１  爪付け根部内側辺。
１２  爪付け根部外側辺。
１３  爪内側傾斜辺。
１４  爪先端内側辺。
１５  爪先端外側辺。
１６  支柱下部板。
１７  支柱上部板。
１８  支柱側パレット押さえ板。
１９  パレット。
２０  積載荷物。
２１  分離専用道具。
２２  道具のパレット押さえ部。
２３  道具の左側はめ込み爪。
２４  道具の右側はめ込み爪。
１Ａ  下部連結梁。
２Ａ  上部連結梁。
３Ｄ  爪内側付け根部着力点。
３Ｅ  爪内側先端部着力点。
３Ｆ  爪外側付け根部着力点。
３Ｇ  爪外側先端部着力点。
１Ｎ  従来技術の平５−７１５０名称荷役用パレット枠の支柱。
２Ｎ  従来技術の平５−７１５０名称荷役用パレット枠の連結材。
３Ｎ  従来技術の平５−７１５０名称荷役用パレット枠の差込み爪。
４Ｎ  従来技術の平５−７１５０名称荷役用パレット枠のポケット部。
５Ｎ  従来技術の平５−７１５０名称荷役用パレット枠の固締枠。
ＮＤ  従来技術の平５−７１５０名称荷役用パレット枠の爪内側付け根部着力点。
ＮＥ  従来技術の平５−７１５０名称荷役用パレット枠の爪内側先端部着力点。
ＮＦ  従来技術の平５−７１５０名称荷役用パレット枠の爪外側付け根部着力点。
ＮＧ  従来技術の平５−７１５０名称荷役用パレット枠の爪外側先端部着力点。
ＦＹ  鉛直分力。
【図１】
2006232397.tif 000003
【図２】
2006232397.tif 000004
【図３】
2006232397.tif 000005
【図４】
2006232397.tif 000006
【図５】
2006232397.tif 000007
【図６】
2006232397.tif 000008
【図７】
2006232397.tif 000009
【図８】
2006232397.tif 000010
【図９】
2006232397.tif 000011
【図１０】
2006232397.tif 000012
【図１１】
2006232397.tif 000013
【図１２】
2006232397.tif 000014
【図１３】
2006232397.tif 000015
【図１４】
2006232397.tif 000016